(57)【要約】【課題】ランスの係止突起と端子金具のランス孔との係止位置における係止突起の剪断強度が低下するのを防止する。【解決手段】リテーナ３０を組み付けると、リブ１８（変位規制部）と溝３６（変位規制部）との係合により、ランス１６の端子金具２０側への変位が規制されるので、端子金具２０が抜け方向に引っ張られたときにランス１６の姿勢が端子金具２０側へ斜めに変化することがなく、また、係止突起１７と係止部２５との引っ掛かりにより、端子金具２０がランス１６から離間する方向へ変位することもない。したがって、係止突起１７における係止部２５の係止位置は、ランス１６の上面１６ａに沿った係止突起１７の基端部位置（剪断強度が最大の位置）に保たれる。【選択図】  図２
2004362831.tif 000002
【特許請求の範囲】
【請求項１】
キャビティを有する合成樹脂製のコネクタハウジングと、
前記コネクタハウジングに一体形成され、前記キャビティの内壁に沿って前方へ片持ち状に延出するとともに前記キャビティに臨む外面に係止突起を突出させた形態のランスと、
前記キャビティに対して後方から挿入されるようになっているとともに前記ランスと対向する外面に係止部が設けられている端子金具と、
前記コネクタハウジングに対して組み付け可能とされたリテーナとを備えてなり、
前記端子金具が前記キャビティに挿入される過程では、前記ランスが前記端子金具の外面との干渉により弾性撓みして撓み空間内に進出し、
前記端子金具が正規挿入位置に達すると、前記ランスが弾性復帰して前記係止突起が前記係止部に係止することで前記端子金具が抜止め状態とされ、
前記端子金具の挿入後に前記コネクタハウジングに前記リテーナを組み付けたときに、前記端子金具が正規挿入されていれば前記リテーナが前記撓み空間内に嵌入しつつ前記コネクタハウジングに組み付けられるが、前記端子金具が半挿入のときには、前記撓み空間内に進出している前記ランスへの突き当たりによって前記リテーナの組付けが規制されるようにしたコネクタにおいて、
前記リテーナと前記ランスには、前記コネクタハウジングへの組付け状態において互いに係合することにより、前記ランスが前記端子金具側へ変位するのを規制可能な変位規制部が設けられていることを特徴とするコネクタ。
【請求項２】
前記変位規制部が、前記ランスの延出方向に沿って細長く延びる形態とされていることを特徴とする請求項１記載のコネクタ。
【請求項３】
前記コネクタハウジングと前記リテーナには、前記変位規制部同士が係合した状態において前記リテーナが前記コネクタハウジングに対して前記ランスの弾性撓み方向と同方向に相対変位するのを規制可能な位置決め部が設けられていることを特徴とする請求項１又は請求項２記載のコネクタ。
【発明の詳細な説明】
【０００１】
【発明の属する技術分野】
本発明は、端子金具の挿入状態を検知するためのリテーナを備えたコネクタに関するものである。
【０００２】
【従来の技術】
リテーナを備えたコネクタとしては、図１０に示すように、合成樹脂製のコネクタハウジング１００内にキャビティ１０１を形成し、そのキャビティ１０１の下壁に沿って前方へ片持ち状に延出するとともに上面に係止突起１０３を有するランス１０２を形成したものがある。後方から端子金具１０４がキャビティ１０１に挿入される過程では、ランス１０２が端子金具１０４の下面との干渉により弾性撓みし、端子金具１０４が正規挿入位置に達すると、弾性復帰したランス１０２の係止突起１０３が端子金具１０４のランス孔１０５に係止することで端子金具１０４が抜止め状態とされる。端子金具１０４の挿入工程の後は、コネクタハウジング１００にリテーナ１０６を組み付ける。このとき端子金具１０４が正規挿入されていれば、リテーナ１０６がランス１０２の撓み空間１０７内に嵌入することができるが、端子金具１０４が半挿入のままであるときには、弾性撓みしたランス１０２が撓み空間１０７内に進出しているためにそのランス１０２にリテーナ１０６が突き当たり、リテーナ１０６の組付けが規制される。尚、リテーナを備えたコネクタとしては、特許文献１に開示されているものがある。
【０００３】
【特許文献１】
特開２００１−１８５２７５公報
【０００４】
【発明が解決しようとする課題】
上記のようにランス１０２の係止突起１０３を端子金具１０４に係止させることによって端子金具１０４を抜止めするコネクタでは、ランス１０２の上面に沿った係止突起１０３の基端部における前後方向（即ち、端子金具１０４の挿抜方向）の寸法Ｌａを長くして、この係止突起１０３の基端部にランス孔１０５の孔縁を当接させることにより、係止突起１０３における剪断強度を高め、ランス１０２の係止強度（即ち、端子金具１０４の抜けを規制する保持力）を確保するようになっている。
【０００５】
ところが、キャビティ１０１内においては端子金具１０４の挿入動作の円滑化を図るために公差を考慮したクリアランスが設けられていることから、図１１に示すように、端子金具１０４が後方へ引っ張られたときにクリアランスのために端子金具１０４が上方へ変位するとともに、ランス孔１０５の孔縁と係止突起１０３との引っ掛かりのためにランス１０２が持ち上げられて斜め上向きに姿勢を変化させる。その結果、係止突起１０３とランス孔１０５の孔縁との係止位置における係止突起１０３の前後方向の寸法Ｌｂが、係止突起１０３の基端部の長さＬａよりも短くなり、剪断強度が低下してしまう、という問題があった。
【０００６】
本願発明は上記事情に鑑みて創案され、ランスの係止突起と端子金具のランス孔との係止位置における係止突起の剪断強度が低下するのを防止することを目的としている。
【０００７】
【課題を解決するための手段】
請求項１の発明は、キャビティを有する合成樹脂製のコネクタハウジングと、前記コネクタハウジングに一体形成され、前記キャビティの内壁に沿って前方へ片持ち状に延出するとともに前記キャビティに臨む外面に係止突起を突出させた形態のランスと、前記キャビティに対して後方から挿入されるようになっているとともに前記ランスと対向する外面に係止部が設けられている端子金具と、前記コネクタハウジングに対して組み付け可能とされたリテーナとを備えてなり、前記端子金具が前記キャビティに挿入される過程では、前記ランスが前記端子金具の外面との干渉により弾性撓みして撓み空間内に進出し、前記端子金具が正規挿入位置に達すると、前記ランスが弾性復帰して前記係止突起が前記係止部に係止することで前記端子金具が抜止め状態とされ、前記端子金具の挿入後に前記コネクタハウジングに前記リテーナを組み付けたときに、前記端子金具が正規挿入されていれば前記リテーナが前記撓み空間内に嵌入しつつ前記コネクタハウジングに組み付けられるが、前記端子金具が半挿入のときには、前記撓み空間内に進出している前記ランスへの突き当たりによって前記リテーナの組付けが規制されるようにしたコネクタにおいて、前記リテーナと前記ランスには、前記コネクタハウジングへの組付け状態において互いに係合することにより、前記ランスが前記端子金具側へ変位するのを規制可能な変位規制部が設けられていることろに特徴を有する。
【０００８】
請求項２の発明は、請求項１の発明において、前記変位規制部が、前記ランスの延出方向に沿って細長く延びる形態とされている構成とした。
請求項３の発明は、請求項１又は請求項２の発明において、前記コネクタハウジングと前記リテーナには、前記変位規制部同士が係合した状態において前記リテーナが前記コネクタハウジングに対して前記ランスの弾性撓み方向と同方向に相対変位するのを規制可能な位置決め部が設けられている構成とした。
【０００９】
【発明の作用及び効果】
［請求項１の発明］
リテーナを組み付けると、変位規制部同士の係合により、ランスが端子金具側へ変位することが規制されるので、端子金具が抜け方向に引っ張られたときにランスの姿勢が端子金具側へ斜めに変化することがなく、また、係止突起と係止部との引っ掛かりにより、端子金具がランスから離間する方向へ変位することもない。したがって、係止突起における係止部の係止位置は、ランスの外面に沿った係止突起の基端部位置、即ち前後長が長くて剪断強度の高い位置に保たれる。
【００１０】
［請求項２の発明］
変位規制部は、ランスの延出方向に沿って細長く延びる形態とされているので、ランスの座屈変形を防止することができる。
［請求項３の発明］
リテーナをコネクタハウジングに組み付けて変位規制部同士を係合させた状態では、リテーナがコネクタハウジングに対して遊動規制されているので、リテーナとランスが一体となってコネクタハウジングに対して相対変位する虞がなく、ランスの端子金具側への変位を確実に防止することができる。
【００１１】
【発明の実施の形態】
［実施形態１］
以下、本発明を具体化した実施形態１を図１乃至図９を参照して説明する。
本実施形態のコネクタは、合成樹脂製のコネクタハウジング１０と、このコネクタハウジング１０内に収容される端子金具２０と、コネクタハウジング１０に組み付けられる合成樹脂製のリテーナ３０とを備えて構成されている。
コネクタハウジング１０には、前後方向に貫通する左右３つのキャビティ１１が形成されている。キャビティ１１の前端部は、相手側端子のタブ（図示せず）の進入口１１Ｆとしてコネクタハウジング１０の前端面１０Ｆに開口し、キャビティ１１の後端部は端子金具２０の挿入口１１Ｒとしてコネクタハウジング１０の後端面１０Ｒに開口している。
【００１２】
各キャビティ１１の下方には、撓み空間１２がコネクタハウジング１０の前端面１０Ｆに開放された形態で形成され、これらの３つの撓み空間１２は互いに連通空間１３を介して連通している。連通空間１３の上面はキャビティ１１の底面と同じ高さとされ、この連通空間１３の上面は、コネクタハウジング１０に組み付けられたリテーナ３０の上方への変位を規制する位置決め部１４となっている。さらに、３つの撓み空間１２の下面及び２つの連通空間１３の下面は、互いに滑らかに連なっており、これらの空間１２，１３の下面は、コネクタハウジング１０に組み付けられたリテーナ３０の下方への変位を規制する位置決め部１５となっている。
【００１３】
コネクタハウジング１０内には、各キャビティ１１の下面に沿って片持ち状に前方（キャビティ１１に対する端子金具２０の挿入方向と同方向）へ延出した形態であって上下方向（端子金具２０の挿入方向に対して略直角な方向）への弾性撓みを可能とされたランス１６が一体形成されている。ランス１６の上面１６ａは、端子金具２０の挿入方向と平行な平坦状をなし、キャビティ１１に臨んでいる。ランス１６の下面１６ｂは、端子金具２０の挿入方向と平行な平坦状をなし、撓み空間１２に臨んでいる。
【００１４】
ランス１６の上面１６ａには、その前端よりも少し後方の位置を上方へ盛り上げた形態の係止突起１７が、ランス１６と同じ幅で一体に形成されている。係止突起１７の前端面は、ランス１６の上面１６ａに対して直角に近い急勾配で立ち上がり、やや前傾（オーバーハング）した係止面１７ａとなっている。係止突起１７の上面１７ｂは、係止突起１７の前端面（係止面１７ａ）の上端から斜め下後方へ延びる緩勾配の傾斜面とされ、その後端はランス１６の上面１６ａに連なっている。かかる係止突起１７における前後方向の寸法は、高さによって異なり、ランス１６の上面１６ａに沿った下端位置において最も大きく、上端において最も小さくなる。したがって、係止面１７ａに対して端子金具２０の係止部２５が水平に当接したときの係止突起１７の剪断強度は、係止面１７ａの下端部において最大となる。
【００１５】
また、ランス１６の左右両側面（ランス１６の弾性撓み方向及びランス１６の延出方向と平行な面）には、夫々、前後方向（ランス１６の延出方向、及びコネクタハウジング１０に対するリテーナ３０の組付け方向と平行な方向であって、ランス１６の弾性撓み方向に対して略直角な方向）に直線状に延びるとともに外側方に突出した形態のリブ１８（本発明の構成要件である変位規制部）が一体に形成されている。リブ１８の前端はランス１６の前端面（係止突起１７の前端よりも前方）にまで延びており、リブ１８の後端はランス１６の後端部近く（係止突起１７の後端よりも後方）にまで延びている。つまり、リブ１８は、ランス１６のほぼ全長に亘って形成されている。リブ１８の横断面形状（前方から見た形状）は方形をなす。また、リブ１８の下面１８ｂは、ランス１６の下面１６ｂに対して面一状（同じ高さ）に連なっており、リブ１８の上面１８ａはランス１６の上面１６ａよりも下方に位置している。
【００１６】
ランス１６の上面１６ａにおける前端部、即ち係止突起１７よりも前方の領域は、前下がりの勾配とされた治具宛面１６ｃとなっている。また、ランス１６の前端面のうち下端縁部を除いた大部分の領域は、ランス１６の上面１６ａに対して直角ではなくやや後傾した後傾斜面１６ｄとなっており、この後傾斜面１６ｄの下端部は、リブ１８の前端面における略上半分領域対して面一状に連なっている。一方、ランス１６の前端面における下端縁部は、ランス１６の上面１６ａに対して直角ではなくやや前傾した前傾斜面１６ｅとなっており、この前傾斜面１６ｅは、リブ１８の前端面における略下半分領域と面一状をなす。
【００１７】
端子金具２０は、前端側部分に角筒状の嵌合部２１を有するとともに、後端側部分に電線圧着部２２を有しており、電線圧着部２２には電線２３が圧着により接続されている。嵌合部２１を構成する下面壁には方形窓状に開口したランス孔２４が形成され、このランス孔２４の開口縁における前端縁は、ランス１６の係止突起１７に係止する係止部２５となっている。この係止部２５と係止突起１７との係止代は係止部２５の板厚寸法分だけであり、係止部２５と係止面１７ａのうちの下端縁部に係止するようになっている。
【００１８】
リテーナ３０は、コネクタハウジング１０に対して前方から組み付けられるようになっており、その組付け方向は、キャビティ１１に対する端子金具２０の挿入方向及びランス１６の弾性撓みしていない自由状態のときの延出方向（上面１６ａ及び下面１６ｂ）と平行である。リテーナ３０は、全体として左右方向に長い厚板状をなし、３つの撓み空間１２及び２つの連通空間１３内に嵌入されるようになっている。リテーナ３０の上面のうち連通空間１３と対応する領域と、リテーナ３０の下面全領域は、夫々、位置決め部３１，３２となっている。リテーナ３０がコネクタハウジング１０に組み付けられた状態では、リテーナ３０の位置決め部３１，３２とコネクタハウジング１０の位置決め部１４，１５とが当接することにより、リテーナ３０がコネクタハウジング１０に対して上下方向（ランス１６の弾性撓み方向と略平行な方向）へ遊動することが規制されるようになっている。
【００１９】
また、リテーナ３０の上面３０ａには、各ランス１６と対応する部分を凹ませるとともにリテーナ３０の前後両端面３０Ｆ，３０Ｒに開放された形態の左右３つの収容凹部３４が形成されている。収容凹部３４の幅はランス１６の幅よりも僅かに大きい寸法（公差を考慮した僅かなクリアランスが確保された寸法）に設定されている。収容凹部３４を構成する底壁は、リテーナ３０がコネクタハウジング１０に組み付けられたときに撓み空間１２内に嵌入する嵌入部３５となっている。嵌入部３５の下面３５ｂはリテーナ３０の下面３０ｂに対して面一に連なっているが、嵌入部３５の上面３５ａは後方に向かって上り勾配となっており、その最も高い位置となる後端部がランス１６の下面１６ｂに対して下から当接するようになっている。尚、嵌入部３５の前端は、リテーナ３０の前端面よりも後方へ奥まった位置に設定され、嵌入部３５の後端は、リテーナ３０の後端面よりも前方の位置に設定されている。したがって、収容凹部３４は、その前後両端部においてリテーナ３０の下面３０ｂ側に開放されている。
【００２０】
各収容凹部３４には、その左右両側面を凹ませた形態の一対の溝３６（本発明の構成要件である変位規制部）が形成されている。この溝３６は、前後方向に直線状に延びているとともにリテーナ３０の前後両端面３０Ｆ，３０Ｒに開放されていて、溝３６の形状及び寸法は、リブ１８が上下方向左右方向にガタ付きなく嵌合し得る形状及び寸法とされている。また、溝３６の高さは、ランス１６が自由状態（弾性撓みしていない状態）であって端子金具２０の係止部２５に対して係止突起１７を正規に係止させた状態のときに、ランス１６のリブ１８と同じ高さとなるように設定されている。また、溝３６の下面は嵌入部３５の上面の後端部と同じ高さとされている。
【００２１】
次に、本実施形態の作用を説明する。
コネクタハウジング１０に端子金具２０とリテーナ３０を取り付ける際には、まず、リテーナ３０をコネクタハウジング１０に対して仮係止位置に組み付けておく（図６及び図７を参照）。この状態では、リテーナ３０はランス１６に対して前方に外れた位置にあり、リテーナ３０の一部はコネクタハウジング１０の前端面１０Ｆから突出している。尚、リテーナ３０を仮係止位置に保持する手段として、突起と溝との嵌合による周知の保持部（図示せず）が設けられている。
【００２２】
この状態で、端子金具２０を後方からキャビティ１１内に挿入する。挿入の過程では、嵌合部２１の下面壁がランス１６の係止突起１７に当接してその係止突起１７を押し下げることにより、ランス１６は姿勢を前傾させるよう変化させつつ弾性撓みして撓み空間１２内へ進出する（図７を参照）。
そして、端子金具２０が正規位置まで挿入されると、ランス孔２４が係止突起１７と対応する位置に達するため、係止突起１７が嵌合部２１の下面壁から外れ、ランス１６がその弾性復元力により上方へ変位して水平姿勢に復帰する。このランス１６の自由状態への弾性復帰に伴ない、係止突起１７の係止面１７ａがランス孔２４の係止部２５に対して後方から僅かな隙間を空けて対応する状態となる。このとき、係止部２５の高さは係止面１７ａの下端部、即ち係止突起１７における剪断強度が最大となる位置となる。
【００２３】
この状態で端子金具２０に対して後方への引張力が作用すると、端子金具２０が僅かに後退したところで係止部２５が係止突起１７の係止面１７ａに対して前方から係止（当接）する。このとき、係止突起１７の剪断強度により係止突起１７と係止部２５との係止状態が保たれるため、この係止によって端子金具２０が抜止めされる。
ところが、キャビティ１１との端子金具２０との間には端子金具２０の挿入動作の円滑化を図るためにクリアランスが設けられていることから、端子金具２０の後方への移動力が強い場合には、係止突起１７と係止部２５との引っ掛かりのために、嵌合部２１が上方へ変位しつつランス１６を上方へ持ち上げようとする虞がある。もし、このようになると、ランス１６が自由状態よりも斜め上向きに姿勢を変えるため、係止突起１７に対する係止部２５からの剪断方向は、ランス１６の上面１６ａに沿った方向ではなく、係止面１７ａの下端位置から係止突起１７の上面１７ｂにおける後端よりも前方の位置に至る方向となり、この方向における係止突起１７の寸法が小さくなって係止突起１７の剪断強度が正規の係止状態に比べて低下することになる。このようになると、端子金具２０に対する抜取り力が著しく大きい場合に、係止突起１７が破損して端子金具２０が後方へ移動してしまう虞がある。
【００２４】
しかしながら本実施形態では、ランス１６の上方への変位を規制する手段が設けられている。即ち、端子金具２０を挿入した後は、仮係止位置のリテーナ３０をコネクタハウジング１０内の本係止位置（図４及び図５を参照）へ押し込めばよい。リテーナ３０を押し込むと、リテーナ３０とコネクタハウジング１０の位置決め部１４，１５，３１，３２同士が当接することにより、コネクタハウジング１０に対するリテーナ３０の上下方向への相対変位が規制される。同時に、リテーナ３０の左右一対の溝３６がランス１６のリブ１８に嵌合し、この嵌合により、リテーナ３０に対するランス１６の上下方向への相対変位も規制される。したがって、コネクタハウジング１０に対するランス１６の上下方向（端子金具２０に接近する方向及び撓み空間１２内へ進出する方向の両方向）への遊動（ガタ付き）が確実に防止される。
【００２５】
このようにランス１６の上下動が規制されたことにより、端子金具２０に対して後方への引張力が作用したときに、係止面１７ａにおける係止部２５の係止位置（突き当たり位置）が係止面１７ａの下端部（即ち、係止突起１７において前後方向の剪断強度が最大となる位置）に確実に留め置かれ、係止突起１７と係止部２５との係止により端子金具２０を確実に抜止めしておくことができる。
尚、リテーナ３０を本係止位置へ押し込んだ状態では、嵌入部３５がランス１６の下に潜り込み、嵌入部３５の後端部がランス１６の下面１６ｂに当接してランス１６の下方（撓み空間１２側）への変位を規制するので、ランス１６が端子金具２０から解離することが確実に防止されている。このとき、嵌入部３５の後端部（最も高い位置）は、係止突起１７の後端部のほぼ真下に位置する。
【００２６】
また、端子金具２０が正規挿入位置に達しない半挿入状態のままでリテーナ３０を本係止位置へ押し込もうとした場合、撓み空間１２内に進出しているランス１６の前端に嵌入部３５が突き当たるため、リテーナ３０の押し込みが不能となる。したがって、リテーナ３０を本係止位置へ押し込むことができるか否かに基づき、端子金具２０が正規位置まで挿入されているか否かを検知することができる。
【００２７】
上述のように本実施形態においては、リテーナ３０を組み付けると、溝３６とリブ１８との係合によってランス１６の端子金具２０側への変位が規制されるので、端子金具２０が抜け方向に引っ張られたときにランス１６の姿勢が端子金具２０側（上向き）へ斜めに変化することがなく、また、係止突起１７と係止部２５との引っ掛かりにより、端子金具２０がランス１６から離間する方向へ変位することもない。これにより、係止突起１７における係止部２５の係止位置は、ランス１６の上面１６ａに沿った係止突起１７の基端部位置、即ち前後長が長くて剪断強度が最大となる位置に保たれる。
【００２８】
また、溝３６とリブ１８は、ランス１６の延出方向に沿って細長く延びる形態とされているので、ランス１６の座屈変形を防止することができる。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００２９】
（１）上記実施形態では端子金具の係止部が窓孔状をなすが、本発明によれば、窓孔状に限らず、板状部の端縁を係止部としてもよい。
（２）上記実施形態では雌側コネクタに適用した例について説明したが、本発明は、先端に細長いタブを有する雄端子金具が収容される雄側コネクタにも適用できる。
（３）上記実施形態ではリテーナが前方（端子金具の挿入方向とは反対の方向）から組み付けられるようにしたが、本発明によれば、リテーナが側方（端子金具の挿入方向と略直角な方向）に組付けられる場合にも適用できる。
【００３０】
（４）上記実施形態では変位規制部が前後方向（ランスの延出方向及びリテーナの組付け方向と平行な方向）に細長く一定領域に亘って連続して線接触（面接触）する形態としたが、本発明によれば、双方の変位規制部が前後方向において点接触するようにしてもよい。
（５）上記実施形態ではランスの変位規制部を左右両側に設けたが、本発明によれば、左右いずれか一方の側のみに設けてもよい。
【００３１】
（６）上記実施形態ではランスの変位規制部をランスの左右両側面に設けたが、本発明によれば、ランスの前端面に変位規制部を設けてもよく、ランスの下面に設けてもよい。
（７）上記実施形態ではランス側の変位規制部を凸状にするとともにリテーナ側の変位規制部を凹状としたが、本発明によれば、ランス側の変位規制部を凹状にするとともにリテーナ側の変位規制部を凸状としてもよく、ランスとリテーナの双方に、夫々、凸状と凹状の両形態の変位規制部を設けてもよい。
【００３２】
（８）上記実施形態では変位規制部が凹凸の嵌合によって係合するようにしたが、本発明によれば、段差状の係合形態としてもよい。
（９）上記実施形態では変位規制部を方形断面としたが、本発明によれば、方形に限らず、台形、三角形などの他の断面形状としてもよい。
（１０）上記実施形態ではキャビティが左右に３つ並んで設けられているが、本発明によれば、キャビティの数は２つでも４つ以上でもよく、また、キャビティの配置は左右一列に限らず、縦並びでもよく、縦横に整列していてもよい。
【００３３】
（１１）上記実施形態ではリテーナの溝をリテーナの全長に亘って貫通するように形成したが、溝は、ランスのリブと対応する領域（リテーナの略後半領域）にのみ形成してもよい。
【図面の簡単な説明】
【図１】実施形態１の正面図
【図２】部分拡大正面図
【図３】リテーナを外した状態の部分拡大正面図
【図４】図１のＸ−Ｘ線断面図
【図５】図４の部分拡大図
【図６】リテーナが仮係止位置にある状態の部分拡大縦断面図
【図７】端子金具の挿入過程をあらわす部分拡大縦断面図
【図８】図４のＹ−Ｙ線断面図
【図９】図８の部分拡大図
【図１０】従来例の断面図
【図１１】従来例においてランスが端子金具側へ変位した状態をあらわす断面図
【符号の説明】
１０…コネクタハウジング
１１…キャビティ
１２…撓み空間
１４…位置決め部
１５…位置決め部
１６…ランス
１７…係止突起
１８…リブ（ランスの変位規制部）
２０…端子金具
２５…係止部
３０…リテーナ
３１…位置決め部
３２…位置決め部
３６…溝（リテーナの変位規制部）
【図１】
2004362831.tif 000003
【図２】
2004362831.tif 000004
【図３】
2004362831.tif 000005
【図４】
2004362831.tif 000006
【図５】
2004362831.tif 000007
【図６】
2004362831.tif 000008
【図７】
2004362831.tif 000009
【図８】
2004362831.tif 000010
【図９】
2004362831.tif 000011
【図１０】
2004362831.tif 000012
【図１１】
2004362831.tif 000013